【事件の表示】
　特願２０１３−１３６１８２号「遊技機および遊技用管理装置」拒絶査定不服審判事件〔平成２５年１０月３１日出願公開、特開２０１３−２２３７６８号〕について、次のとおり審決する。
【結　論】
　本件審判の請求は、成り立たない。
【理　由】
第１　手続の経緯
　本件に係る出願（以下「本願」という。）は、平成２２年４月７日にした特願２０１０−８９０７０号（以下「原出願」という。）の一部を平成２４年５月２４日に新たな特許出願（特願２０１２−１１９０４７号）とし、さらにその一部を平成２５年６月２８日に新たな特許出願（特願２０１３−１３６１８２号）としたものであって、平成２６年２月１８日付けで自発による手続補正書が提出され、平成２６年７月４日付けで拒絶理由が通知され、同年９月５日に意見書が提出されたところ、平成２７年４月１７日付けで拒絶査定がなされ（発送日：同年４月２１日）、これに対し、同年７月２１日に拒絶査定不服審判の請求がなされると同時に明細書及び特許請求の範囲に係る手続補正書が提出されたものである。
　
第２　平成２７年７月２１日付けの手続補正についての補正却下の決定
　平成２７年７月２１日付けの手続補正（以下「本件補正」という。）を却下する。
　
［理由］
　１　補正の内容
　本件補正は、特許請求の範囲の請求項１を補正する内容を含んでおり、本件補正により、平成２６年２月１８日付けの手続補正書における請求項１の「所定の遊技を行うことが可能な遊技機であって、
　制御を行う際に発生する変動データを記憶する変動データ記憶手段と、
　遊技機への電力供給が停止していても前記変動データ記憶手段の記憶内容を所定期間保持させることが可能な記憶内容保持手段と、
　操作に応じて操作信号を出力する初期化操作手段と、
　電力供給が開始され、前記初期化操作手段からの前記操作信号が入力されたときに、前記変動データ記憶手段の記憶内容を初期化する初期化処理を実行する初期化処理実行手段と、
　所定のエラーが発生しているか否かを判定するエラー判定手段と、
　遊技機の外部に信号を出力する信号線を接続するための複数の端子と、
　少なくとも、前記初期化処理実行手段によって前記初期化処理が実行されたこと、および前記エラー判定手段によって前記所定のエラーが発生していると判定されたことを含む所定の信号出力条件が成立したことに基づいて、前記端子を介して遊技機の外部に所定の外部出力信号を出力する外部出力手段と、を備え、
　前記外部出力手段は、前記初期化処理実行手段によって前記初期化処理が実行されたときと前記エラー判定手段によって前記所定のエラーが発生していると判定されたときとで、共通の端子から前記所定の外部出力信号を出力し、
　前記共通の端子は、基準電位の入力部と前記外部出力信号の入力部とを含むとともに、
２つの端子を１のセットとして構成され、前記信号線を開放するための摘み部が端子ごとに設けられ、
　前記摘み部は、相互に互い違いになるように配置されている、
　ことを特徴とする遊技機。」を、
　審判請求時に提出された手続補正書（平成２７年７月２１日付け）における「所定の遊技を行うことが可能な遊技機であって、
　制御を行う際に発生する変動データを記憶する変動データ記憶手段と、
　遊技機への電力供給が停止していても前記変動データ記憶手段の記憶内容を所定期間保持させることが可能な記憶内容保持手段と、
　操作に応じて操作信号を出力する初期化操作手段と、
　電力供給が開始され、前記初期化操作手段からの前記操作信号が入力されたときに、前記変動データ記憶手段の記憶内容を初期化する初期化処理を実行する初期化処理実行手段と、
　所定のエラーが発生しているか否かを判定するエラー判定手段と、
　遊技機の外部に信号を出力する信号線を接続するための複数の端子と、
　少なくとも、前記初期化処理実行手段によって前記初期化処理が実行されたこと、および前記エラー判定手段によって前記所定のエラーが発生していると判定されたことを含む所定の信号出力条件が成立したことに基づいて、前記端子を介して遊技機の外部に所定の外部出力信号を出力する外部出力手段と、を備え、
　前記外部出力手段は、
　
　
前記所定の外部出力信号を出力しているときに新たに前記所定の信号出力条件が成立した場合には、前記所定の外部出力信号を出力する出力時間を延長し、
　前記共通の端子は、基準電位の入力部と前記外部出力信号の入力部とを含むとともに、２つの端子を１のセットとして構成され、前記信号線を開放するための摘み部が端子ごとに設けられ、
　前記摘み部は、相互に互い違いになるように配置されている、
　ことを特徴とする遊技機。」
に補正すること（下線は、補正箇所を明示するために審決にて付した。）である。
　
　２　補正の目的
　上記補正は、補正前の請求項１に記載した発明を特定するために必要な事項である外部出力手段に関して、「前記所定の外部出力信号を出力しているときに新たに前記所定の信号出力条件が成立した場合には、前記所定の外部出力信号を出力する出力時間を延長し」と限定することを含むものであり、かつ、本件補正前の特許請求の範囲の請求項１に記載された発明と本件補正後の特許請求の範囲の請求項１に記載される発明の産業上の利用分野及び解決しようとする課題が同一であるので、本件補正は、特許法第１７条の２第５項第２号に掲げる特許請求の範囲の減縮を目的とするものに該当する。
　
　そして、本件補正は新規事項を追加するものではない。
　
　３　独立特許要件について
　そこで、本件補正後の特許請求の範囲の請求項１に記載された発明（以下「本件補正発明」という。）が特許出願の際独立して特許を受けることができるものであるか（特許法第１７条の２第６項において準用する同法第１２６条第７項の規定に適合するか）について以下に検討する。
　（１）刊行物１
　原査定の拒絶理由において提示された、本願の遡及日前に頒布された刊行物である特開２００９−６１００４号公報（以下「刊行物１」という。）には、図面と共に次の事項が記載されている（下線は審決にて付した。以下同じ。）。
　　　ア　「【特許請求の範囲】
【請求項１】
　
遊技球を用いて所定の遊技を行うことが可能な遊技機であって
　遊技球が進入可能な開放状態と遊技球が進入不可能な閉鎖状態とに変化可能な可変入賞装置と、
　所定の開放条件が成立したときに前記可変入賞装置を閉鎖状態から開放状態に変化させる可変入賞装置制御手段と、
　前記可変入賞装置に進入した遊技球を検出して入賞検出信号を出力する入賞検出手段と、
　前記可変入賞装置制御手段によって前記可変入賞装置が開放状態に制御されていないときに、前記入賞検出手段が前記入賞検出信号を出力したことにもとづいて、
異常入賞が発生したと判定する異常入賞判定手段と
　当該遊技機において前記
異常入賞と異なる所定の異常状態が発生したか否かを判定する異常状態判定手段と
　前記異常入賞判定手段によって異常入賞が発生したと判定されたことにもとづいて、異常入賞が発生したことを示す異常報知を実行する異常報知手段と、
　
前記異常入賞判定手段によって異常入賞が発生したと判定されたことまたは前記異常状態判定手段によって所定の異常状態が発生したと判定されたことにもとづいて、当該遊技機の外部に設けられている外部装置に所定の異常信号を出力するための外部出力手段とを備え
　前記異常報知手段は、前記可変入賞装置制御手段によって前記可変入賞装置が開放状態に制御されていない所定期間に、前記入賞検出手段が前記入賞検出信号を複数回数出力したことを条件に、前記異常報知を実行し、
　
前記外部出力手段は、前記異常入賞判定手段によって異常入賞が発生したと判定されたときと前記異常状態判定手段によって所定の異常状態が発生したと判定されたときとで、当該遊技機に設けられた共通の出力端子に前記所定の異常信号を出力可能とした
　ことを特徴とする遊技機。
・・・
【請求項５】
　
外部出力手段は、
　異常入賞判定手段によって異常入賞が発生したと判定されたときまたは異常状態判定手段によって所定の異常状態が発生したと判定されたときから、外部装置に所定の異常信号を所定期間出力可能とし、
　前記所定の異常信号を出力しているときに、さらに、前記異常入賞判定手段によって異常入賞が発生したと判定されたときまたは前記異常状態判定手段によって所定の異常状態が発生したと判定されたときには、最後に前記異常入賞判定手段によって異常入賞が発生したと判定されたときまたは前記異常状態判定手段によって所定の異常状態が発生したと判定されたときから、前記外部装置に前記所定の異常信号を所定期間出力可能とした
　請求項１から請求項４のうちのいずれかに記載の遊技機。」
　
　　　イ　「【技術分野】
【０００１】
　本発明は、遊技球を用いて所定の遊技を行うことが可能な遊技機に関する。
・・・　
【発明が解決しようとする課題】
【０００７】
　特許文献１に記載された遊技機では、異常入賞などの不正が発生したことや、コネクタ抜けなど遊技機の状態異常が発生したことを、外部情報出力端子基板を介して外部のホールコンピュータなどに出力することができる。しかし、異常入賞の発生や、磁石を用いた不正を検出したことを示す磁気エラー、遊技機を振動させて行われる不正を検出したことを示す振動エラーなど複数のエラーを示す情報を外部装置に出力する場合には、エラーの種類ごとに外部情報出力端子基板に出力端子を設けなければならない。そのため、外部装置に出力する機構に必要となる部品点数が増加し、外部情報出力端子基板を用いた配線作業も複雑となってしまう。
【０００８】
　そこで、本発明は、
異常入賞の発生および遊技機の状態異常の発生など複数の異常が発生したことを外部装置に出力できるとともに、外部装置に情報を出力するための機構の部品数の増加や配線作業の複雑化を防ぐことができる
　
　　　ウ「【００７６】
　また、
ＲＡＭ５５は、その一部または全部が電源基板において作成されるバックアップ電源によってバックアップされているバックアップＲＡＭである
遊技機に対する電力供給が停止しても、所定期間
は、ＲＡＭ５５の一部または全部の内容は保存される
遊技状態すなわち遊技制御手段の制御状態に応じたデータ
と未払出賞球数を示すデータは、バックアップＲＡＭに保存される
　
　　　エ「【００７８】
　さらに、遊技制御用マイクロコンピュータ５６０の入力ポートには、電源基板からの電源電圧が所定値以下に低下したことを示す電源断信号が入力される。すなわち、電源基板には、遊技機において使用される所定電圧（例えば、ＤＣ３０ＶやＤＣ５Ｖなど）の電圧
値を監視して、電圧値があらかじめ定められた所定値にまで低下すると（電源電圧の低下を検出すると）、その旨を示す電源断信号を出力する電源監視回路が搭載されている。また、遊技制御用マイクロコンピュータ５６０の入力ポートには、
ＲＡＭの内容をクリアすることを指示するためのクリアスイッチが操作されたことを示すクリア信号が入力される
　
　　　オ「【０１１７】
　図１０は、情報端子盤の内部構成を示す回路図である。図１０に示す情報端子盤３４において、左側のコネクタＣＮは、図６に示した主基板３１からの信号を伝達するケーブル３４３を接続するためのコネクタ３４１に相当し、右側の
コネクタＣＮ１〜ＣＮ１１は
ホールコンピュータに対して信号を伝達するケーブル３４９を接続する
【０１１８】
　主基板３１からのケーブル３４３がコネクタＣＮに接続されることにより、主基板３１（遊技制御用マイクロコンピュータ５６０）から各種信号が情報端子盤３４に入力される。具体的には、コネクタＣＮの端子「２」に始動口１信号が入力され、コネクタＣＮの端子「３」に図柄確定回数２信号が入力され、コネクタＣＮの端子「４」に図柄確定回数１信号が入力され、コネクタＣＮの端子「５」に大当り１信号が入力され、コネクタＣＮの端子「６」に大当り２信号が入力され、コネクタＣＮの端子「７」に時短信号が入力され、コネクタＣＮの端子「８」に大当り４信号が入力され、コネクタＣＮの端子「９」に大当り３信号が入力され、
コネクタＣＮの端子「１０」に異常信号が入力され
【０１１９】
　図１０に示すように、情報端子盤３４では、コネクタＣＮの端子「１」に
基準電位の信号線
が分岐して、各々の半導体リレーＰＣ１〜ＰＣ１０の入力端子「１」に接続されている
コネクタＣＮの端子「２」〜「１１」に接続された信号線は、それぞれ、
抵抗Ｒ１〜Ｒ１０を介して半導体リレーＰＣ１〜ＰＣ１０の入力端子「２」に接続されている
コネクタＣＮ１〜ＣＮ１０の端子「１」
コネクタＣＮ１〜ＣＮ１０の端子「２」
・・・
【０１２２】
　以上のような
半導体リレーＰＣ１〜ＰＣ１１の動作により、入力側のコネクタＣＮから入力された信号
コネクタＣＮ１〜ＣＮ１１に伝達され
【０１２３】
　なお、この実施の形態では、図１０に示すように、大入賞口や第２始動入賞口１４への異常入賞、大入賞口周辺の磁気異常、遊技機の振動異常状態、大入賞口の異常開放を検出した場合に、
共通のコネクタＣＮ９を用いて異常信号が出力される。
　
　　　カ「【０１３３】
　次に、遊技機の動作について説明する。図１２は、主基板３１における遊技制御用マイクロコンピュータ５６０が実行するメイン処理を示すフローチャートである。なお、ルーチンとは、プログラムにおいて、特定の処理を実行するための命令（コード）の集まりのことである。ある処理を行うための一連の命令を手順として記述したプロシージャや、与えられた情報に演算処理を加えて処理の結果を返す機能であるファンクション（関数）などがルーチンに分類される。特に個別のプログラムコードとして独立していなくても、ある分量のコードが特定の処理のために集中して配置されていれば、その部分はルーチンであるとみなすことができる。ルーチンはプログラム内での立場によって大きく2つに分けられ、プログラムを開始する際に最初に呼び出され、プログラム全体の進行を管理するルーチンを「メインルーチン」、プログラムの実行中に他のルーチンから呼び出されて動作するルーチンを「サブルーチン」と呼ぶ。
【０１３４】
　
遊技機に対して電源が投入され電力供給が開始されると、リセット信号が入力される
ＣＰＵ５６
は
【０１３５】
　初期設定処理において、ＣＰＵ５６は、まず、割込禁止に設定する（ステップＳ１）。次に、割込モードを割込モード２に設定し（ステップＳ２）、スタックポインタにスタックポインタ指定アドレスを設定する（ステップＳ３）。そして、内蔵デバイスの初期化（内蔵デバイス（内蔵周辺回路）であるＣＴＣ（カウンタ／タイマ）およびＰＩＯ（パラレル入出力ポート）の初期化など）を行った後（ステップＳ４）、ＲＡＭをアクセス可能状態に設定する（ステップＳ５）。なお、割込モード２は、ＣＰＵ５６が内蔵する特定レジスタ（Ｉレジスタ）の値（１バイト）と内蔵デバイスが出力する割込ベクタ（１バイト：最下位ビット０）とから合成されるアドレスが、割込番地を示すモードである。
【０１３６】
　次いで、ＣＰＵ５６は、入力ポートを介して入力される
クリアスイッチ
の
オンを検出した場合には、ＣＰＵ５６は、通常の初期化処理を実行する
ステップＳ１０〜Ｓ１５。Ｓ４４，Ｓ４５を含む。
【０１３７】
　クリアスイッチがオンの状態でない場合には、
遊技機への電力供給が停止したときにバックアップＲＡＭ領域のデータ保護処理
保護処理が行われていないことを確認したら、ＣＰＵ５６は初期化処理を実行する
【０１３８】
　
電力供給停止時処理が行われたことを確認したら
バックアップＲＡＭ領域のデータチェックを行う
チェック結果が正常でない
電力供給の停止からの復旧時でない電源投入時に実行される初期化処理を実行する
　
　　　キ「【０１４２】
　
初期化処理では、ＣＰＵ５６は
ＲＡＭクリア処理を行う
ステップＳ１０
ＲＡＭクリア処理によって、所定のデータ
は０に初期化される
　
　　　ク「【０４３７】
　図７０は、異常信号の出力タイミングを示す波形図である。図７０に示すように、
異常信号は、大入賞口や第２始動入賞口１４への異常入賞、大入賞口周辺の磁気異常、遊技機の振動異常状態、大入賞口の異常開放を検出してから３０秒間出力される
異常信号の出力を開始してから３０秒以内にさらに他の異常を検出した場合には、異常信号は、最後に異常を検出してから３０秒間が経過するまで出力される
　
　　　ケ「【０６２５】
　以上に説明したように、この実施の形態によれば、大入賞口または第２始動入賞口１４への異常入賞が発生したと判定されたこと、または所定の異常状態（大入賞口周辺の磁気異常、遊技機の振動異常状態、大入賞口の異常開放状態）が発生したと判定されたことにもとづいて、情報端子盤３４を介して、遊技機の外部に設けられている外部装置（本例では、ホールコンピュータ）に所定の異常信号を出力する。そのため、異常入賞が発生したことおよび遊技機において所定の異常状態が発生したことなど複数の異常が発生したことを示す情報を外部装置に出力することができる。また、この実施の形態によれば、
異常入賞が発生したと判定されたときと所定の異常状態が発生したと判定されたときとで、遊技機に設けられた共通の出力端子（情報端子盤３４の共通のコネクタＣＮ９）から所定の異常信号を出力可能とするように構成されている
　
　　　コ「【０７８６】
　また、上記に示した実施の形態において、
主基板３１側でリセット信号が入力され初期化処理が実行されてバックアップＲＡＭがクリアされたときから所定期間にも、情報端子盤３４を介して、初期化が行われたことを示す信号を外部出力する
異常信号と同じ信号を外部出力するようにしてもよい
リセット信号を不正に入力して初期化処理を実行させて所定の乱数の初期値をねらう行為を防止することができ、外部に知らせることができる
　
　　　サ　【請求項１】には、異常入賞判定手段によって異常入賞が発生したと判定されたことまたは異常状態判定手段によって所定の異常状態が発生したと判定されたことにもとづいて、当該遊技機の外部に設けられている外部装置に所定の異常信号を出力するための外部出力手段が記載されている。
　また、上記コの【０７８６】には、
リセット信号が入力され、バックアップＲＡＭを初期化する
　
したがって
リセット信号が入力され、バックアップＲＡＭを初期化する初期化処理が実行されたこと、及び、異常入賞判定手段によって異常入賞が発生したと判定されたことまたは異常状態判定手段によって所定の異常状態が発生したと判定されたことにもとづいて，遊技機の外部に設けられている外部装置に所定の異常信号を出力するための外部出力手段
　
　　　シ　上記カの【０１３４】、【０１３６】、及び、上記キの【０１４２】の記載事項から、刊行物１には、
ＣＰＵ５６が、前記バックアップＲＡＭを初期化する初期化処理を遊技機に対して電源が投入され電力供給が開始され、リセット信号が入力された後にクリアスイッチのオンが検出された場合に、実行すること
　
　　　ス　上記オの【０１１８】、【０１１９】、【０１２２】の記載事項、及び、情報端子盤の内部構成を示す回路図である【図１０】の図示内容から、刊行物１には、
出力側のコネクタＣＮ９が端子「１」と端子「２」とから構成されること
出力側のコネクタＣＮ９には、基準電位の信号線が分岐して接続される入力端子「１」と、コネクタＣＮの端子「１０」に接続された異常信号の信号線が抵抗Ｒ９を介して接続される入力端子「２」とを備える半導体リレーＰＣ９の動作により異常信号が伝達されること
　
　　　セ　上記ア〜コの記載事項、上記サ〜スの認定事項から、刊行物１には次の発明（以下「刊行物発明」という。）が記載されていると認められる。
「遊技球を用いて所定の遊技を行うことが可能な遊技機であって（【請求項１】）、
　遊技状態すなわち遊技制御手段の制御状態に応じたデータと未払出賞球数を示すデータを保存するバックアップＲＡＭ（【００７６】）と、
　遊技機に対する電力供給が停止しても、所定期間は、バックアップＲＡＭ５５の一部または全部の内容を保存（バックアップ）するバックアップ電源（【００７６】）と、
　操作によりクリア信号が出力される、ＲＡＭの内容をクリアすることを指示するためのクリアスイッチ（【００７８】）と、
　ＣＰＵ５６と、
　異常入賞が発生したと判定する異常入賞判定手段（【請求項１】）と、
　異常入賞と異なる所定の異常状態が発生したか否かを判定する異常状態判定手段（【請求項１】）と、
　ホールコンピュータに対して信号を伝達するケーブル３４９が接続されたコネクタＣＮ１〜ＣＮ１１（【０１１７】）と、
　リセット信号が入力され、バックアップＲＡＭを初期化する初期化処理が実行されたこと、及び、異常入賞判定手段によって異常入賞が発生したと判定されたことまたは異常状態判定手段によって所定の異常状態が発生したと判定されたことにもとづいて、当該遊技機の外部に設けられている外部装置に所定の異常信号を出力するための外部出力手段（認定事項サ）と、を備え、
　
　ＣＰＵ５６は、
　　前記バックアップＲＡＭを初期化する初期化処理を、遊技機に対して電源が投入され電力供給が開始され、リセット信号が入力された後にクリアスイッチのオンが検出された場合に実行し（認定事項シ）、
　
　外部出力手段は、
　　異常入賞判定手段によって異常入賞が発生したと判定されたときと異常状態判定手段によって所定の異常状態が発生したと判定されたときとで、当該遊技機に設けられた共通の出力端子（コネクタＣＮ９）に所定の異常信号を出力可能とし（【請求項１】、【０１２３】）、
　　異常入賞判定手段によって異常入賞が発生したと判定されたときまたは異常状態判定手段によって所定の異常状態が発生したと判定されたときから、外部装置に所定の異常信号を所定期間出力可能とし、所定の異常信号を出力しているときに、さらに、異常入賞判定手段によって異常入賞が発生したと判定されたときまたは異常状態判定手段によって所定の異常状態が発生したと判定されたときには、最後に異常入賞判定手段によって異常入賞が発生したと判定されたときまたは異常状態判定手段によって所定の異常状態が発生したと判定されたときから、外部装置に所定の異常信号を所定期間出力可能とし（【請求項５】、【０４３７】）、
　
　端子「１」と端子「２」とから構成されるコネクタＣＮ９には、
　　基準電位の信号線が分岐して接続される入力端子「１」と、コネクタＣＮの端子「１０」に接続された異常信号の信号線が抵抗Ｒ９を介して接続される入力端子「２」とを備える半導体リレーＰＣ９の動作により異常信号が伝達され（認定事項ス）る
　遊技機。」
　
　（２）刊行物２
　原査定の拒絶理由において提示された、本願の遡及日前に頒布された刊行物である特開２００９−２８５００３号公報（以下「刊行物２」という。）には、図面と共に次の事項が記載されている（下線は審決にて付した。以下同じ。）。
　　　ア　「【技術分野】
【０００１】
　本発明は、例えば、
パチンコ遊技機から外部に信号を送出するときに、その信号を中継するため使用される遊技機用外部端子板
　　
　　　イ　「【０００５】
　本発明は上記事情に基づいてなされたものであり、プッシュターミナルの操作性を損なうことなく、小型化することができる遊技機用外部端子板を提供することを目的とするものである。」
　　
　　　ウ　「【００１８】
　本実施形態の
プッシュターミナル１００
ケース本体部１０１内に、端子部とレバー部とを有する二組の接続端子セット１２０.１２０を隣り合うように配置した
【００１９】
　各接続端子セット１２０は、ケース本体部１０１の上部に形成されたリード線挿入穴１２１と、リード線挿入穴１２１に対応してケース本体部内に固定して設けられた導電性の端子部１２２と、レバー部１２３と、レバー部を附勢するスプリング部１２４と、を備える。ケース本体部１０１は、二つのリード線挿入穴の他に、プッシュターミナルを基板４１に固定するために底部に形成された固定用突起１０２、プッシュターミナル同士を連結するための突起である第一連結突起部１０３と第二連結突起部１０４、プッシュターミナル同士を連結するための凹部である第一連結凹部１０５と第二連結凹部１０６（図７参照）、及び、スプリング部１２４を支持するためのスプリング用突起部１０７（図１０参照）を備えている。
【００２０】
　各端子部１２２は、基板４１に形成された接続穴に挿入される足部１２２１と、リード線挿入穴から挿入されたリード線と接触する接触部１２２２（図１０参照）とを備えている。レバー部１２３は端子部１２２に対応して設けられ、人が押圧する部分であるケース本体部の外部に露出している操作部１２３１と、リード線挿入穴１２１に挿入されたリード線を端子部１２２の接触部１２２２に押し付けるための押圧部１２３２と、レバー部をケース本体部に回動自在に取り付けるための軸部１２３３と、スプリング部１２４を支持するためのスプリング用突起部１２３４とを備えている。レバー部１２３は、ケース本体部に形成された軸受部（不図示）に軸部１２３３を嵌め込むことにより、図１０の矢印Ｙで示すように、ケース本体部に回動自在に取着される。このレバー部１２３は、常時はスプリング部１２４により、その押圧部１２３２が端子部１２２の接触部１２２２に当接するように附勢された状態となっている。スプリング部１２４は、レバー部のスプリング用突起部１２３４とケース本体部のスプリング用突起部１０７とによって両端部が支持される。
【００２１】
　本プッシュターミナル１００に
リード線を接続するときには、レバー部１２３の操作部１２３１を下方に押圧し
【００２２】
　本実施形態のプッシュターミナルは、第一連結突起部１０３と第二連結突起部１０４を、隣り合うプッシュターミナルの第一連結凹部１０５と第二連結凹部１０６に嵌め込むことにより、６個のプッシュターミナルを一体的に連結することができる。連結する数は６個に限定されるものではなく、５個以下でも、７個以上であってもよい。また、本実施形態の６個のプッシュターミナル１００は、各プッシュターミナルの固定用突起部１０２と端子部の足部１２２１ａ，１２２１ｂを基板４１に形成された穴に嵌め込み、足部１２２１ａ，１２２１ｂを基板４１に形成された配線パターンに半田付けすることにより基板４１に固定される。なお、第一連結突起部１０３と第二連結突起部１０４、第一連結凹部１０５と第二連結凹部１０６、及び、固定用突起部１０２は省略することが可能である。
【００２３】
　本実施形態の
二つのレバー部１２３ａ，１２３ｂの操作部１２３１ａ，１２３１ｂは、
二つの操作部１２３１ａ，１２３１ｂに段差が生じるようにして形成されている
誤って他方のレバー部を下方に押し下げてしまうことがなくなり、
【００２４】
　また、本実施形態のプッシュターミナルは、図４に示すように、６個のプッシュターミナルを直列的に連結して使用する場合でも、隣り合うレバー部の操作部の高さが異なるので、各レバー部の操作部を押し下げるときに、隣り合う他のレバー部の操作部を同時に押し下げてしまうことはない。」
　　
　　　エ　上記ア〜ウの記載事項から、刊行物２には次の技術事項（以下「刊行物２に記載された技術事項」という。）が記載されていると認められる。
「ケース本体部１０１内に、端子部とレバー部とを有する二組の接続端子セット１２０.１２０を隣り合うように配置し、
　二つのレバー部１２３ａ，１２３ｂの、リード線を接続するときに下方に押圧される操作部１２３１ａ，１２３１ｂは、段差が生じるようにして形成することにより、
　誤って他方のレバー部を下方に押し下げてしまうことをなくした
　パチンコ遊技機から外部に信号を送出するときに、その信号を中継するため使用される遊技機用外部端子板に用いるプッシュターミナル１００。」
　
　（３）対比
　本件補正発明と刊行物発明とを対比する。
　　　ア　刊行物発明における「遊技球を用いて所定の遊技を行うことが可能な遊技機」は、本件補正発明における「所定の遊技を行うことが可能な遊技機」に相当する。
　
　　　イ　刊行物発明における「遊技状態すなわち遊技制御手段の制御状態に応じたデータと未払出賞球数を示すデータ」、「保存する」ことは、それぞれ、本件補正発明における「制御を行う際に発生する変動データ」、「記憶する」ことに相当する。
　したがって、刊行物発明における「バックアップＲＡＭ」は、本件補正発明における「変動データ記憶手段」に相当する。
　
　　　ウ　刊行物発明における「遊技機に対する電力供給が停止しても、所定期間は、バックアップＲＡＭ５５の一部または全部の内容を保存（バックアップ）するバックアップ電源」と、本件補正発明における「遊技機への電力供給が停止していても変動データ記憶手段の記憶内容を所定期間保持させることが可能な記憶内容保持手段」とを対比する。
　
　刊行物発明において、「バックアップ電源」と「バックアップＲＡＭ」とを含むものは、遊技機に対する電力供給が停止しても、「バックアップＲＡＭ」の内容を所定期間保存（バックアップ）する機能を有するものであるから、本件補正発明における「記憶内容保持手段」に相当する。
　
　　　エ　刊行物発明における「操作によりクリア信号が出力される、ＲＡＭの内容をクリアすることを指示するためのクリアスイッチ」は、本件補正発明における「操作に応じて操作信号を出力する初期化操作手段」に相当する。
　
　　　オ　刊行物発明における「クリアスイッチのオンを検出した場合」、「バックアップＲＡＭを初期化する初期化処理」は、それぞれ、本件補正発明における「初期化操作手段からの前記操作信号が入力されたとき」、「変動データ記憶手段の記憶内容を初期化する初期化処理」に相当する。
　したがって、刊行物発明における「前記バックアップＲＡＭを初期化する初期化処理を遊技機に対して電源が投入され電力供給が開始され、リセット信号が入力された後にクリアスイッチのオンが検出された場合に、実行」する「ＣＰＵ５６」は、本件補正発明における「初期化処理実行手段」としての機能を有するものである。
　
　　　カ　刊行物発明における「異常入賞」、「異常入賞と異なる所定の異常状態」は、本件補正発明における「所定のエラー」に含まれるものである。
　したがって、刊行物発明における「異常入賞判定手段」と「異常状態判定手段」とを併せたものは、本件補正発明における「エラー判定手段」に相当する。
　
　　　キ　刊行物発明における「ホールコンピュータに対して信号を伝達するケーブル３４９」は、本件補正発明における「遊技機の外部に信号を出力する信号線」に相当する。
　したがって、刊行物発明における「コネクタＣＮ１〜ＣＮ１１」は、本件補正発明における「複数の端子」に相当する。
　
　　　ク　刊行物発明は、異常入賞等が発生した場合に、外部装置に異常信号を出力することから、刊行物発明の「異常信号」は、本件補正発明の「外部出力信号」に相当する。
　したがって、刊行物発明の「バックアップＲＡＭを初期化する初期化処理が実行されたこと、及び、異常入賞判定手段によって異常入賞が発生したと判定されたことまたは異常状態判定手段によって所定の異常状態が発生したと判定されたことにもとづいて、当該遊技機の外部に設けられている外部装置に所定の異常信号を出力するための外部出力手段」と、本件補正発明の「少なくとも、初期化処理実行手段によって初期化処理が実行されたこと、およびエラー判定手段によって所定のエラーが発生していると判定されたことを含む所定の信号出力条件が成立したことに基づいて、端子を介して遊技機の外部に所定の外部出力信号を出力する外部出力手段」とは、「少なくとも」、「初期化処理が実行されたこと、およびエラー判定手段によって所定のエラーが発生していると判定されたことを含む所定の信号出力条件が成立したことに基づいて、端子を介して遊技機の外部に所定の外部出力信号を出力する外部出力手段」という点で共通する。
　
　　　ケ　刊行物発明における「異常入賞判定手段によって異常入賞が発生したと判定されたときと異常状態判定手段によって所定の異常状態が発生したと判定されたときとで、当該遊技機に設けられた共通の出力端子（コネクタＣＮ９）に所定の異常信号を出力可能とし」た「外部出力手段」と、本件補正発明における「初期化処理実行手段によって初期化処理が実行されたときとエラー判定手段によって所定のエラーが発生していると判定されたときとで、共通の端子から所定の外部出力信号を出力」する外部出力手段とは、
「エラー判定手段によって所定のエラーが発生していると判定されたときに共通の端子から所定の外部出力信号を出力」する点で共通する。
　
　　　コ　刊行物発明における「所定の異常信号を出力しているとき」は、本件補正発明における「所定の外部出力信号を出力しているとき」に相当する。
　また、刊行物発明における「さらに、異常入賞判定手段によって異常入賞が発生したと判定されたときまたは異常状態判定手段によって所定の異常状態が発生したと判定されたとき」は、本件補正発明における「新たに所定の信号出力条件が成立した場合」に相当する。
　そして、刊行物発明における「最後に異常入賞判定手段によって異常入賞が発生したと判定されたときまたは異常状態判定手段によって所定の異常状態が発生したと判定されたときから、外部装置に所定の異常信号を所定期間出力可能と」することは、最後に「異常入賞判定手段によって異常入賞が発生したと判定されたときまたは異常状態判定手段によって所定の異常状態が発生したと判定されたとき」に、最初に「異常入賞判定手段によって異常入賞が発生したと判定されたときまたは異常状態判定手段によって所定の異常状態が発生したと判定されたとき」から外部装置に所定期間出力されている「所定の異常信号」に継続させて、「所定期間」だけさらに延長して「所定の異常信号」を出力することであるから、本件補正発明における「所定の外部出力信号を出力する出力時間を延長」することに相当する。
　
　したがって、刊行物発明における「所定の異常信号を出力しているときに、さらに、異常入賞判定手段によって異常入賞が発生したと判定されたときまたは異常状態判定手段によって所定の異常状態が発生したと判定されたときには、最後に異常入賞判定手段によって異常入賞が発生したと判定されたときまたは異常状態判定手段によって所定の異常状態が発生したと判定されたときから、外部装置に前記所定の異常信号を所定期間出力可能と」とした「外部出力手段」は、本件補正発明における「所定の外部出力信号を出力しているときに新たに所定の信号出力条件が成立した場合には、所定の外部出力信号を出力する出力時間を延長」する「外部出力手段」に相当する。
　
　　　サ　刊行物発明における「コネクタＣＮ９」の「端子「１」と端子「２」」、「基準電位の信号線が分岐して接続される入力端子「１」」、「コネクタＣＮの端子「１０」に接続された異常信号の信号線が抵抗Ｒ９を介して接続される入力端子「２」」は、それぞれ、本件補正発明における「端子」、「基準電位の入力部」、「外部出力信号の入力部」に相当する。
　そして、刊行物発明における「端子「１」と端子「２」」は、「コネクタＣＮ９」を構成する端子セットとみなせるものであるから、本件補正発明における「２つの端子を１のセットとして構成され」る「端子」に相当する。
　
　したがって、刊行物発明における「端子「１」と端子「２」とから構成されるコネクタＣＮ９には、基準電位の信号線が分岐して接続される入力端子「１」と、コネクタＣＮの端子「１０」に接続された異常信号の信号線が抵抗Ｒ９を介して接続される入力端子「２」とを備える半導体リレーＰＣ９の動作により異常信号が伝達される」ことは、本件補正発明における「共通の端子は、基準電位の入力部と外部出力信号の入力部とを含むとともに、２つの端子を１のセットとして構成され」ることに相当する。
　
　　　シ　上記ア〜サより、本件補正発明と刊行物発明とは、
「所定の遊技を行うことが可能な遊技機であって、
　制御を行う際に発生する変動データを記憶する変動データ記憶手段と、
　遊技機への電力供給が停止していても前記変動データ記憶手段の記憶内容を所定期間保持させることが可能な記憶内容保持手段と、
　操作に応じて操作信号を出力する初期化操作手段と、
　電力供給が開始され、前記初期化操作手段からの前記操作信号が入力されたときに、前記変動データ記憶手段の記憶内容を初期化する初期化処理を実行する初期化処理実行手段と、
　所定のエラーが発生しているか否かを判定するエラー判定手段と、
　遊技機の外部に信号を出力する信号線を接続するための複数の端子と、
　少なくとも、前記初期化処理が実行されたこと、および前記エラー判定手段によって前記所定のエラーが発生していると判定されたことを含む所定の信号出力条件が成立したことに基づいて、前記端子を介して遊技機の外部に所定の外部出力信号を出力する外部出力手段と、を備え、
　前記外部出力手段は、
　前記エラー判定手段によって前記所定のエラーが発生していると判定されたときに共通の端子から前記所定の外部出力信号を出力し、
　前記所定の外部出力信号を出力しているときに新たに前記所定の信号出力条件が成立した場合には、前記所定の外部出力信号を出力する出力時間を延長し、
　前記共通の端子は、基準電位の入力部と前記外部出力信号の入力部とを含むとともに、２つの端子を１のセットとして構成される、
　遊技機。」
　の点で一致し、相違点１で一応相違し、相違点２、３で相違する。
　
［相違点１］
　初期化処理が実行されたことに基づいて、外部出力信号を出力する外部出力手段に関して、
　本件補正発明は、「電力供給が開始されたときに、初期化操作手段からの操作信号が入力されたこと」に基づくものであるのに対し、刊行物発明は、初期化操作手段の操作に基づくものであるか否か不明である点。
　
［相違点２］
　本件補正発明は、電力供給が開始されたときに、初期化操作手段からの操作信号が入力されたことに基づいて、初期化処理が実行されたときに出力される外部出力信号を、エラー判定手段によってエラーが発生していると判定されたときと「共通の端子」から出力するのに対し、刊行物発明は、初期化処理が実行されたときに出力される外部出力信号を、エラー判定手段によってエラーが発生していると判定されたときと「共通の端子」から出力するか否か不明である点。
　
［相違点３］
　共通の端子に関して、
　本件補正発明は、信号線を開放するための摘み部が端子ごとに設けられ、摘み部は、相互に互い違いになるように配置されているのに対して、
　刊行物発明は、本件補正発明の上記構成を備えていない点。
　
　（４）当審の判断
　　　ア　相違点１、２について
　相違点１、２は関連しているので、まとめて検討する。
　刊行物発明は、「リセット信号が入力され、バックアップＲＡＭを初期化する初期化処理が実行されたことにもとづき所定の異常信号を出力もの」である。
　また、刊行物１の上記（１）カの【０１３３】〜【０１３８】の記載事項、主基板におけるＣＰＵが実行するメイン処理を示すフローチャートである【図１２】の図示内容によると、刊行物１には、電力供給が開始されるとリセット信号がＣＰＵ５６に入力され、その後にバックアップＲＡＭを初期化する初期化処理が実行されることが記載され、また、バックアップＲＡＭを初期化する初期化処理が、
　　イ：クリアスイッチのオンを検出すること（【０１３６】）、
　　ロ：遊技機への電力供給が停止したときにバックアップＲＡＭ領域のデータ保護処理が行われていないことを確認すること（【０１３７】）、
　　ハ：電力供給停止時処理が行われたことを確認したら、バックアップＲＡＭ領域のデータチェックを行い、チェック結果が正常でないこと、
のいずれの実行条件の成立によっても行われることが記載されている。
　上記記載事項によると、刊行物発明の「バックアップＲＡＭを初期化する初期化処理」は、上記実行条件イ〜ハのいずれの成立によっても行われるものと認められる。
　したがって、刊行物発明の「リセット信号が入力され、バックアップＲＡＭを初期化する初期化処理」は、上記実行条件イが成立した場合にも行われるものである。
　よって、上記相違点１は実質的な相違点ではない。
　
　仮に、刊行物発明の「リセット信号が入力され、バックアップＲＡＭを初期化する初期化処理」が、上記実行条件が成立した場合に行わないとしても、
刊行物発明において、上記実行条件イの成立によっても、「バックアップＲＡＭを初期化する初期化処理」を行うものとすることは、遊技機の技術分野において、電力供給が開始されたときに、初期化操作手段の操作により、記憶手段の記憶内容が初期化されたことにもとづいて、異常（エラー）が発生したときと同じ信号をホールコンピュータに出力することは、特開２００７−１４３８８３号公報及び特開２００３−９２４号公報に記載されているように、本願の遡及日前における周知技術でもあることからみて、当業者が適宜なし得たものである。
　
　したがって、相違点１は実質的な相違点とはいえず、仮にそうでないとしても、刊行物発明において、相違点１に係る本件補正発明の構成を採用することは、当業者が適宜なし得たものである。
　
　また、刊行物発明は、「異常入賞の発生および遊技機の状態異常の発生など複数の異常が発生したことを外部装置に出力できるとともに、外部装置に情報を出力するための機構の部品数の増加や配線作業の複雑化を防ぐ」という課題（上記（１）イを参照。）を解決するものである。
　したがって、「リセット信号が入力され、バックアップＲＡＭを初期化する初期化処理」が実行された場合に出力される異常信号と同じ信号をエラーが発生していると判定されたときと「共通の端子」から出力し、上記相違点２に係る本件補正発明の構成とすることは、当業者が容易になし得たものである。
　
　　　イ　相違点３について
　刊行物発明の「共通の端子」は、２つの端子を１のセットとして構成されるものである。
　そして、刊行物発明において、セットにされた端子の端子部の開放操作を誤りなく行うことは、当業者にとって自明の課題である。
　一方、刊行物２に記載された技術事項は、「ケース本体部１０１内に、端子部とレバー部とを有する二組の接続端子セット１２０.１２０を隣り合うように配置」したものであり、また、「リード線を接続するときに下方に押圧される操作部１２３１ａ，１２３１ｂ」、「段差が生じるようにして形成する」ことは、それぞれ、本件補正発明における「信号線を開放するための摘み部」、「相互に互い違いになるように配置されている」ことに対応することから、刊行物２には、２つの端子を１のセットとしたプッシュターミナル１００において、信号線を開放するための摘み部が端子ごとに設けられ、摘み部は、相互に互い違いになるように配置されているという技術事項が記載されているといえる。
　そして、刊行物２には、誤って他方のレバー部を下方に押し下げてしまうことをなくしたことが記載されている。
　よって、刊行物発明の２つの端子を１のセットとしたものである「共通の端子」に、刊行物２に記載された技術事項を適用して、上記相違点３に係る本件補正発明の構成とすることは当業者が容易になし得たものである。
　
　　　ウ　請求人の主張について
　請求人は、平成２７年７月２１日付けの上申書において、
　「引用文献１から引用文献２に記載された発明では、少なくとも、初期化処理実行手段によって初期化処理が実行されたこと、およびエラー判定手段によって所定のエラーが発生していると判定されたことを含む所定の信号出力条件が、所定の外部出力信号を出力しているときに新たに成立した場合に、所定の外部出力信号を出力する出力時間を延長することを行っていません。したがって、所定の外部出力信号の出力処理にかかる処理負担を軽減すること、および所定の外部出力信号の出力処理用のプログラム容量を低減することができません。」（５頁２４行〜６頁１行）と主張する。
　
　そこで、請求人の上記主張について検討する。
　刊行物発明が、本件補正発明の「所定の外部出力信号を出力しているときに新たに所定の信号出力条件が成立した場合には、所定の外部出力信号を出力する出力時間を延長」する「外部出力手段」に相当する構成を備えることは、上記（３）コにおいて検討したとおりである。
　また、刊行物発明が、外部出力信号の発生要因として、「初期化処理実行手段によって初期化処理が実行されたこと」を含むか否かについては、不明であるとして、一応相違点１として抽出した。しかしながら、刊行物発明が、外部出力信号を発生させる信号出力条件として、「初期化処理実行手段によって初期化処理が実行され」ることを含むことは、上記（４）アにおいて検討したとおりである。
　
　したがって、請求人の上記主張を採用することはできない。
　
　　　エ　小括
　上記ア〜ウにおいて検討したように、本件補正発明は、当業者が刊行物発明、及び、周知の技術事項に基づいて容易に発明をすることができたものであるから、特許法第２９条第２項の規定により、特許出願の際独立して特許を受けることができない。
　
　４　むすび
　上記３において検討したことからみて、本件補正は、特許法第１７条の２第６項において準用する同法第１２６条第７項の規定に違反するので、同法第１５９条第１項において読み替えて準用する同法第５３条第１項の規定により却下すべきものである。
　
第３　本願発明について
　１　本願発明
　本件補正は上記のとおり却下されたので、本願の請求項１に係る発明（以下「本願発明」という。）は、平成２６年２月１８日付け手続補正書の特許請求の範囲の請求項１に記載された事項により特定される次のとおりのものである。
　「所定の遊技を行うことが可能な遊技機であって、
　制御を行う際に発生する変動データを記憶する変動データ記憶手段と、
　遊技機への電力供給が停止していても前記変動データ記憶手段の記憶内容を所定期間保持させることが可能な記憶内容保持手段と、
　操作に応じて操作信号を出力する初期化操作手段と、
　電力供給が開始され、前記初期化操作手段からの前記操作信号が入力されたときに、前記変動データ記憶手段の記憶内容を初期化する初期化処理を実行する初期化処理実行手段と、
　所定のエラーが発生しているか否かを判定するエラー判定手段と、
　遊技機の外部に信号を出力する信号線を接続するための複数の端子と、
　少なくとも、前記初期化処理実行手段によって前記初期化処理が実行されたこと、および前記エラー判定手段によって前記所定のエラーが発生していると判定されたことを含む所定の信号出力条件が成立したことに基づいて、前記端子を介して遊技機の外部に所定の外部出力信号を出力する外部出力手段と、を備え、
　前記外部出力手段は、前記初期化処理実行手段によって前記初期化処理が実行されたときと前記エラー判定手段によって前記所定のエラーが発生していると判定されたときとで、共通の端子から前記所定の外部出力信号を出力し、
　前記共通の端子は、基準電位の入力部と前記外部出力信号の入力部とを含むとともに、
２つの端子を１のセットとして構成され、前記信号線を開放するための摘み部が端子ごとに設けられ、
　前記摘み部は、相互に互い違いになるように配置されている、
　ことを特徴とする遊技機。」
　
　２　刊行物
　刊行物１、２及びその記載事項、刊行物発明、刊行物２に記載された技術事項は、前記「第２　３（１）、（２）」に記載したとおりである。
　
　３　対比・判断
　本願発明は、上記「第２　２」において検討したとおり、本件補正発明における外部出力手段に関して、「前記所定の外部出力信号を出力しているときに新たに前記所定の信号出力条件が成立した場合には、前記所定の外部出力信号を出力する出力時間を延長し」という限定を省いたものである。
　
　そうすると、本願発明と、刊行物発明とは、前記「第２　３（３）」の相違点１、２で相違する。
　
　そして、本願発明の発明特定事項（構成要件）をすべて含み、さらに、他の発明特定事項（構成要件）を付加したものに相当する本件補正発明が、前記「第２　３（４）」に記載したとおり、刊行物発明、刊行物２に記載された技術事項、及び、周知の技術事項に基づいて、当業者が容易に発明をすることができたものであるから、本願発明も、同様に、刊行物発明、刊行物２に記載された技術事項、及び周知の技術事項に基づいて、当業者が容易に発明をすることができたものである。
　
　４　むすび
　以上のとおりであるから、本願発明は、特許法第２９条第２項の規定により特許を受けることができない。
　したがって、本願は、拒絶されるべきものである。
　
　よって、結論のとおり審決する。